(57)【要約】【課題】ＧＦ及びＵＬ−ＳＰＳの通信中に、ＢＦＩを最大受信回数まで受信し、ＢＦＲが発生した場合、正常に通信できなくなるなどの懸念がある。【解決手段】基地局装置および移動局装置を少なくとも含む通信システムの移動局装置であって、ＢＦＩの受信回数をカウントするＢＦＩ受信カウンタ部と、前記ＢＦＩを受信する度に起動または再起動され、満了時に前記ＢＦＩ受信カウンタ部を０にするＢＦＤタイマと、前記ＢＦＩ受信回数がＢＦＩ最大受信回数に達した場合に、サービングセルに構成されている構成済み上りリンクグラントタイプ１をサスペンドし、ＳｐＣｅｌｌ上でＢＦＲを開始し、前記ＢＦＲが成功した場合に、前記サービングセルに構成およびサスペンドされている前記すべての構成済み上りリンクグラントタイプ１を再初期化する制御部と、を備える。【選択図】図２
2020057959.tif 000002
【特許請求の範囲】
【請求項１】
基地局装置および移動局装置を少なくとも含む通信システムの移動局装置であって、
ビーム障害インスタンス通知の受信回数をカウントするビーム障害インスタンス通知受信カウンタ部と、
前記ビーム障害インスタンス通知を受信する度に起動または再起動され、満了時に前記ビーム障害インスタンス通知受信カウンタ部を０にするビーム障害検出タイマと、
前記ビーム障害インスタンス通知の受信回数がＲＲＣによって設定されたビーム障害インスタンス通知最大受信回数に達した場合に、サービングセルに構成されている構成済み上りリンクグラントタイプ１をサスペンドし、
スペシャルセル上でビーム障害リカバリを開始し、
前記ビーム障害リカバリが成功した場合に、前記サービングセルに構成およびサスペンドされている前記すべての構成済み上りリンクグラントタイプ１を再初期化する制御部と、
を備えることを特徴とする、移動局装置。
【請求項２】
前記制御部は、前記ビーム障害インスタンス通知受信回数が前記ＲＲＣによって設定された前記ビーム障害インスタンス通知最大受信回数に達した場合に、すべてのサービングセルに構成されているすべての構成済み上りリンクグラントタイプ１をサスペンドし、前記ビーム障害リカバリが成功した場合に、前記すべてのサービングセルに構成およびサスペンドされている前記すべての構成済み上りリンクグラントタイプ１を再初期化することを特徴とする、請求項１記載の移動局装置。
【請求項３】
前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルに構成されている構成済み上りリンクグラントタイプ１をサスペンドし、前記ビーム障害リカバリが成功した場合に、前記サービングセルに構成およびサスペンドされている前記構成済み上りリンクグラントタイプ１を再初期化することを特徴とする、請求項１記載の移動局装置。
【請求項４】
前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルに設定されている１つもしくは複数の上りリンクＢＷＰのうち、アクティブに設定されている前記上りリンクＢＷＰに構成されている構成済み上りリンクグラントタイプ１をサスペンドし、前記ビーム障害リカバリが成功した場合にアクティブとなっている上りリンクＢＷＰに構成されサスペンドされている前記構成済み上りリンクグラントタイプ１を再初期化することを特徴とする、請求項１記載の移動局装置。
【請求項５】
前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルが属するＴＡＧに含まれるすべてのサービングセルに構成されているすべての構成済み上りリンクグラントタイプ１をサスペンドし、前記ビーム障害リカバリが成功した場合に、前記ＴＡＧに含まれるすべてのサービングセルに構成およびサスペンドされているすべての前記構成済み上りリンクグラントタイプ１を再初期化することを特徴とする、請求項１記載の移動局装置。
【請求項６】
基地局装置および移動局装置を少なくとも含む通信システムの移動局装置であって、
ビーム障害インスタンス通知の受信回数をカウントするビーム障害インスタンス通知受信カウンタ部と、
前記ビーム障害インスタンス通知を受信する度に起動または再起動され、満了時に前記ビーム障害インスタンス通知受信カウンタ部を０にするビーム障害検出タイマと、
前記ビーム障害インスタンス通知の受信回数がＲＲＣによって設定されたビーム障害インスタンス通知最大受信回数に達した場合に、サービングセルに構成されている構成済み上りリンクグラントタイプ２をクリアし、
スペシャルセル上でビーム障害リカバリを開始し、
前記ビーム障害リカバリが成功した場合に、ＤＣＩによって前記サービングセルに構成済み上りリンクグラントタイプ２を再構成しアクティベーションする制御部と、
を備えることを特徴とする、移動局装置。
【請求項７】
前記制御部は、前記ビーム障害インスタンス通知受信回数が前記ＲＲＣによって設定された前記ビーム障害インスタンス通知最大受信回数に達した場合に、すべてのサービングセルに構成されているすべての構成済み上りリンクグラントタイプ２をクリアし、前記ビーム障害リカバリが成功した場合に、前記ＤＣＩによって前記すべてのサービングセルに構成済み上りリンクグラントタイプ２を再構成しアクティベーションすることを特徴とする、請求項６記載の移動局装置。
【請求項８】
前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルに構成されている構成済み上りリンクグラントタイプ２をクリアし、前記ビーム障害リカバリが成功した場合に、前記ＤＣＩによって前記サービングセルに構成済み上りリンクグラントタイプ２を再構成しアクティベーションすることを特徴とする、請求項６記載の移動局装置。
【請求項９】
前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルに設定されている１つもしくは複数の上りリンクＢＷＰのうち、アクティブに設定されている前記上りリンクＢＷＰに構成されている構成済み上りリンクグラントタイプ２をクリアし、前記ビーム障害リカバリが成功した場合にアクティブとなっている上りリンクＢＷＰに前記構成済み上りリンクグラントタイプ２を再構成しアクティベーションすることを特徴とする、請求項６記載の移動局装置。
【請求項１０】
前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルが属するＴＡＧに含まれるすべてのサービングセルに構成されているすべての構成済み上りリンクグラントタイプ２をクリアし、前記ビーム障害リカバリが成功した場合に、前記ＴＡＧに含まれるすべてのサービングセルに前記構成済み上りリンクグラントタイプ２を再構成しアクティベーションすることを特徴とする、請求項６記載の移動局装置。
【発明の詳細な説明】
【技術分野】
【０００１】
本発明は、基地局装置、移動局装置およびその通信方法に関する。
【背景技術】
【０００２】
標準化団体３ＧＰＰ（３ｒｄ  Ｇｅｎｅｒａｔｉｏｎ  Ｐａｒｔｎｅｒｓｈｉｐ  Ｐｒｏｊｅｃｔ）において、第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（「ＥＵＴＲＡ」もしくは「ＬＴＥ」とも呼称される）と、更にその発展形である第４世代の移動通信方式であるＡｄｖａｎｃｅｄ  ＥＵＴＲＡ（「ＬＴＥ−Ａｄｖａｎｃｅｄ」もしくは「ＬＴＥ−Ａ」とも呼称される）の仕様規格化が行われ、それを利用した移動体通信の商用化が各国で行われている（非特許文献１）。また近年、３ＧＰＰでは第５世代移動通信方式であるＮＲ（Ｎｅｗ  Ｒａｄｉｏ）の技術の検討および仕様規格化が進んでいる（非特許文献２）。
【０００３】
スケジューリング（通信リソース割り当て）技術の一つとして、セミパーシステントスケジューリング（ＳＰＳ：Ｓｅｍｉ−Ｐｅｒｓｉｓｔｅｎｔ  Ｓｃｈｅｄｕｌｉｎｇ）による通信リソースの周期的な割り当て方法がある。これは、サブフレーム毎に通信リソースの割り当てを上りリンクグラントまたは下りリンクアサインメントと呼ばれるシグナリングで行うダイナミックスケジューリングとは異なり、予め決められた設定（時間間隔、変調方式、開始タイミング、繰り返し回数など）で通信リソースの割り当てを行うことにより、制御信号によるオーバヘッドを少なくして効率的な通信を可能とする技術である。ＳＰＳは従来のＬＴＥおよびＬＴＥ−Ａｄｖａｎｃｅｄでも採用されており、音声サービスなどリアルタイム性を要求される通信に利用されてきたが、ＮＲでもＳＰＳのさらなる進化を目的とした検討および仕様規格化が進んでいる。また、上りリンクのＳＰＳを応用し、基地局装置から移動局装置に対して割り当てられる上りリンクグラントがなくても、移動局装置から基地局装置に上りリンクデータ送信が可能となる上りリンクグラントフリー（ＧＦ：Ｇｒａｎｔ  Ｆｒｅｅ）による通信方式についても、検討および仕様規格化が進んでいる。
【先行技術文献】
【非特許文献】
【０００４】
【非特許文献１】"3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 15)"  3GPP TS 36.300 V15.2.0 (2018-06)
【非特許文献２】"3rd Generation Partnership Project; Technical Specification Group Radio Access Network; NR; NR and NG-RAN Overall Description; Stage 2 (Release 15)"  3GPP TS 38.300 V15.3.0 (2018-09)
【発明の概要】
【発明が解決しようとする課題】
【０００５】
ＧＦおよび上りリンクＳＰＳの通信中において、ビーム障害が検出され、またそのリカバリ処理が発生した場合、通信異常や遅延が発生するなどの懸念がある。
【０００６】
本発明はこのような事情を鑑みてなされたものであり、その目的は、ＧＦおよび上りリンクＳＰＳの通信中にビーム障害が検出され、またそのリカバリ処理が発生した場合でも、通信を正常に行うことができる移動局装置及び通信方法を提供することにある。
【課題を解決するための手段】
【０００７】
（１）この発明は上述した課題を解決するためになされたもので、本発明の一態様による基地局装置および移動局装置を少なくとも含む通信システムの移動局装置であって、ビーム障害インスタンス通知の受信回数をカウントするビーム障害インスタンス通知受信カウンタ部と、前記ビーム障害インスタンス通知を受信する度に起動または再起動され、満了時に前記ビーム障害インスタンス通知受信カウンタ部を０にするビーム障害検出タイマと、前記ビーム障害インスタンス通知の受信回数がＲＲＣによって設定されたビーム障害インスタンス通知最大受信回数に達した場合に、サービングセルに構成されている構成済み上りリンクグラントタイプ１をサスペンドし、スペシャルセル上でビーム障害リカバリを開始し、前記ビーム障害リカバリが成功した場合に、前記サービングセルに構成およびサスペンドされている前記すべての構成済み上りリンクグラントタイプ１を再初期化する制御部と、を備えることを特徴とする。
【０００８】
（２）また、本発明の一態様による移動局装置は上記の移動局装置であって、前記制御部は、前記ビーム障害インスタンス通知受信回数が前記ＲＲＣによって設定された前記ビーム障害インスタンス通知最大受信回数に達した場合に、すべてのサービングセルに構成されているすべての構成済み上りリンクグラントタイプ１をサスペンドし、前記ビーム障害リカバリが成功した場合に、前記すべてのサービングセルに構成およびサスペンドされている前記すべての構成済み上りリンクグラントタイプ１を再初期化することを特徴とする。
【０００９】
（３）また、本発明の一態様による移動局装置は上記の移動局装置であって、前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルに構成されている構成済み上りリンクグラントタイプ１をサスペンドし、前記ビーム障害リカバリが成功した場合に、前記サービングセルに構成およびサスペンドされている前記構成済み上りリンクグラントタイプ１を再初期化することを特徴とする。
【００１０】
（４）また、本発明の一態様による移動局装置は上記の移動局装置であって、前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルに設定されている１つもしくは複数の上りリンクＢＷＰのうち、アクティブに設定されている前記上りリンクＢＷＰに構成されている構成済み上りリンクグラントタイプ１をサスペンドし、前記ビーム障害リカバリが成功した場合にアクティブとなっている上りリンクＢＷＰに構成されサスペンドされている前記構成済み上りリンクグラントタイプ１を再初期化することを特徴とする。
【００１１】
（５）また、本発明の一態様による移動局装置は上記の移動局装置であって、前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルが属するＴＡＧに含まれるすべてのサービングセルに構成されているすべての構成済み上りリンクグラントタイプ１をサスペンドし、前記ビーム障害リカバリが成功した場合に、前記ＴＡＧに含まれるすべてのサービングセルに構成およびサスペンドされているすべての前記構成済み上りリンクグラントタイプ１を再初期化することを特徴とする。
【００１２】
（６）また、本発明の一態様による基地局装置および移動局装置を少なくとも含む通信システムの移動局装置であって、ビーム障害インスタンス通知の受信回数をカウントするビーム障害インスタンス通知受信カウンタ部と、前記ビーム障害インスタンス通知を受信する度に起動または再起動され、満了時に前記ビーム障害インスタンス通知受信カウンタ部を０にするビーム障害検出タイマと、前記ビーム障害インスタンス通知の受信回数がＲＲＣによって設定されたビーム障害インスタンス通知最大受信回数に達した場合に、サービングセルに構成されている構成済み上りリンクグラントタイプ１２をサスペンドクリアし、スペシャルセル上でビーム障害リカバリを開始し、前記ビーム障害リカバリが成功した場合に、ＤＣＩによって前記サービングセルに構成およびサスペンドされている前記すべての構成済み上りリンクグラントタイプ１２を再初期化再構成しアクティベーションする制御部と、を備えることを特徴とする。
【００１３】
（７）また、本発明の一態様による移動局装置は上記の移動局装置であって、前記制御部は、前記ビーム障害インスタンス通知受信回数が前記ＲＲＣによって設定された前記ビーム障害インスタンス通知最大受信回数に達した場合に、すべてのサービングセルに構成されているすべての構成済み上りリンクグラントタイプ２をクリアし、前記ビーム障害リカバリが成功した場合に、前記ＤＣＩによって前記すべてのサービングセルに構成済み上りリンクグラントタイプ２を再構成しアクティベーションすることを特徴とする。
【００１４】
（８）また、本発明の一態様による移動局装置は上記の移動局装置であって、前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルに構成されている構成済み上りリンクグラントタイプ２をクリアし、前記ビーム障害リカバリが成功した場合に、前記ＤＣＩによって前記サービングセルに構成済み上りリンクグラントタイプ２を再構成しアクティベーションすることを特徴とする。
【００１５】
（９）また、本発明の一態様による移動局装置は上記の移動局装置であって、前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルに設定されている１つもしくは複数の上りリンクＢＷＰのうち、アクティブに設定されている前記上りリンクＢＷＰに構成されている構成済み上りリンクグラントタイプ２をクリアし、前記ビーム障害リカバリが成功した場合にアクティブとなっている上りリンクＢＷＰに前記構成済み上りリンクグラントタイプ２を再構成しアクティベーションすることを特徴とする。
【００１６】
（１０）また、本発明の一態様による移動局装置は上記の移動局装置であって、前記制御部は、前記ビーム障害インスタンス通知受信回数が前記ＲＲＣによって設定された前記ビーム障害インスタンス通知最大受信回数に達した場合に、前記ビーム障害インスタンス通知に係るサービングセルが属するＴＡＧに含まれるすべてのサービングセルに構成されているすべての構成済み上りリンクグラントタイプ２をクリアし、前記ビーム障害リカバリが成功した場合に、前記ＴＡＧに含まれるすべてのサービングセルに前記構成済み上りリンクグラントタイプ２を再構成しアクティベーションすることを特徴とする。
【発明の効果】
【００１７】
この発明によれば、ＧＦおよび上りリンクＳＰＳの通信中にビーム障害が検出され、またそのリカバリ処理が発生した場合でも、通信を正常に行うことができる。
【図面の簡単な説明】
【００１８】
【図１】本発明の一態様における、移動局装置内のＭＡＣエンティティの構成の一例を示す図である。
【図２】本発明の一態様における、各時間における基地局装置と移動局装置のメッセージおよびデータの送受信の流れと、移動局装置におけるＢＦＩ受信回数およびＧＦの状態の変化の一例を示す図である。
【図３】本発明の一態様における、各時間における基地局装置と移動局装置のメッセージおよびデータの送受信の流れと、移動局装置におけるＢＦＩ受信回数およびＧＦの状態の変化の一例を示す図である。
【発明を実施するための形態】
【００１９】
本発明の実施形態を説明する前に、本発明に係るＧＦおよびＳＰＳ、セルアクティベーション・デアクティベーション、ＢＷＰ（Ｂａｎｄｗｉｄｔｈ  Ｐａｒｔ）スイッチング、上りリンクタイミング調整、スケジューリングリクエスト、ビーム障害リカバリ、およびランダムアクセス手順について説明する。
【００２０】
［ＧＦ・ＳＰＳ］
ダイナミックスケジューリングの上りリンクグラントをダイナミックグラントと呼称するのに対して、上りリンクのＳＰＳおよびＧＦの上りリンクグラントは、予め決められた構成の送信用物理リソースで送信を許可するという意味合いから、構成済みグラント（ｃｏｎｆｉｇｕｒｅｄ  ｇｒａｎｔ）もしくは構成済み上りリンクグラント（ｃｏｎｆｉｇｕｒｅｄ  ｕｐｌｉｎｋ  ｇｒａｎｔ）と呼称されることもある。同様に、下りリンクＳＰＳでは、予め割り当てられた設定の受信用物理リソースを使用して受信を行うことから、構成済みアサインメント（ｃｏｎｆｉｇｕｒｅｄ  ａｓｓｉｇｎｍｅｎｔ）もしくは構成済み下りリンクアサインメント（ｃｏｎｆｉｇｕｒｅｄ  ｄｏｗｎｌｉｎｋ  ａｓｓｉｇｎｍｅｎｔ）と呼称されることもある。３ＧＰＰのＮＲの仕様規格化においては、上りリンクＳＰＳとＧＦおよび下りリンクＳＰＳを合わせて「Ｔｒａｎｓｍｉｓｓｉｏｎ／Ｒｅｃｅｐｔｉｏｎ  ｗｉｔｈｏｕｔ  ｄｙｎａｍｉｃ  ｓｃｈｅｄｕｌｉｎｇ」と呼称し、下りリンクのＳＰＳを「ＤＬ−ＳＰＳ」、ＧＦおよび上りリンクのＳＰＳをそれぞれ「ｃｏｎｆｉｇｕｒｅｄ  ｇｒａｎｔ  Ｔｙｐｅ  １」、「ｃｏｎｆｉｇｕｒｅｄ  ｇｒａｎｔ  Ｔｙｐｅ  ２」と呼称する方向で仕様規格化が進められている。なお、以下の説明においては、便宜的に「ｃｏｎｆｉｇｕｒｅｄ  ｇｒａｎｔ  Ｔｙｐｅ  １」をＧＦ、「ｃｏｎｆｉｇｕｒｅｄ  ｇｒａｎｔ  Ｔｙｐｅ  ２」をＵＬ−ＳＰＳ、下りリンクのＳＰＳをＤＬ−ＳＰＳと記載する。
【００２１】
ＧＦのアクティベーションは、ＲＲＣ（Ｒａｄｉｏ  Ｒｅｓｏｕｒｃｅ  Ｃｏｎｔｒｏｌ）などの上位レイヤから周期的物理チャネルリソースの割り当てや送信開始タイミングオフセット、ＨＡＲＱ（Ｈｙｂｒｉｄ  Ａｕｔｏｍａｔｉｃ  Ｒｅｐｅａｔ  Ｒｅｑｕｅｓｔ）プロセス数、およびＣＳ−ＲＮＴＩ（Ｃｏｎｆｉｇｕｒｅｄ  Ｓｃｈｅｄｕｌｉｎｇ  Ｒａｄｉｏ  Ｎｅｔｗｏｒｋ  Ｔｅｍｐｏｒａｒｙ  Ｉｄｅｎｔｉｆｉｃａｔｉｏｎ）などが設定され、その設定を保存し、設定された送信開始タイミングで構成済み上りリンクグラントの初期化を行うことにより行われる。一方、ＵＬ−ＳＰＳは、ＲＲＣから物理リソースの周期、ＨＡＲＱプロセス数、およびＣＳ−ＲＮＴＩなどの設定が予め行われるが、アクティベーションはＰＤＣＣＨ（Ｐｈｙｓｉｃａｌ  Ｄｏｗｎｌｉｎｋ  Ｃｏｎｔｒｏｌ  Ｃｈａｎｎｅｌ）を通じて下りリンク制御情報（ＤＣＩ：Ｄｏｗｎｌｉｎｋ  Ｃｏｎｔｒｏｌ  Ｉｎｆｏｒｍａｔｉｏｎ）に含まれる上りリンクグラントの受信によって行われる。なお、サービングセルもしくは後述するＢＷＰに構成されたＧＦは、後述するサービングセルのデアクティブ遷移や、ＢＷＰのインアクティブ遷移により、ＲＲＣからの設定情報を保持したまま送信を停止する。これをサスペンドと言う。サスペンド状態のＧＦは、次のサービングセルのアクティブ遷移もしくはＢＷＰのアクティブ遷移によって再初期化が行われ、再び送信が可能となる。一方、ＵＬ−ＳＰＳは、サービングセルのでアクティブ遷移やＢＷＰのインアクティブ遷移によってその構成がクリアされ、その後サービングセルのアクティブ遷移やＢＷＰのアクティブ遷移が行われても、前述のＤＣＩによるアクティベーションが行われない限り、送信することができない。
【００２２】
［セルアクティベーション・デアクティベーション］
ＬＴＥおよびＬＴＥ−Ａでは、ＵＬ−ＳＰＳおよびＤＬ−ＳＰＳの設定はスペシャルセル（ＳｐＣｅｌｌ）と呼ばれるプライマリセル（ＰＣｅｌｌ）およびプライマリセカンダリセル（ＰＳＣｅｌｌ）上にのみ設定が許可されていたが、３ＧＰＰの第５世代通信方式仕様においては、セカンダリセル（ＳＣｅｌｌ）上にもＤＬ−ＳＰＳ、ＵＬ−ＳＰＳおよびＧＦの設定ができるようになった。セカンダリセルはネットワークによりアクティブ状態・非アクティブ状態を制御され、非アクティブ状態では送受信ともに行われない。セカンダリセルをアクティブ状態にするアクティベーション、および非アクティブ状態にするデアクティベーションは、基地局装置から移動局装置に送信されるＳＣｅｌｌ  Ａｃｔｉｖａｔｉｏｎ／Ｄｅａｃｔｉｖａｔｉｏｎ  ＭＡＣ  Ｃｏｎｔｒｏｌ  Ｅｌｅｍｅｎｔ（ＣＥ）によって指示される。さらに、各セカンダリセルにはｓＣｅｌｌデアクティベーションタイマ（ｓＣｅｌｌＤｅａｃｔｉｖａｔｉｏｎＴｉｍｅｒ）が設定される。ｓＣｅｌｌデアクティベーションタイマは、そのセカンダリセルのアクティベーションまたはデアクティベーションを指示するＳＣｅｌｌ  Ａｃｔｉｖａｔｉｏｎ／Ｄｅａｃｔｉｖａｔｉｏｎ  ＭＡＣ  ＣＥを基地局装置から受信した場合に起動もしくは再起動される。また、そのセカンダリセルのＰＤＣＣＨ（Ｐｈｙｓｉｃａｌ  Ｄｏｗｎｌｉｎｋ  Ｃｏｎｔｒｏｌ  ＣＨａｎｎｅｌ；物理下りリンク制御チャネル）で上りリンクグラントや下りリンクアサインメントを受信した場合や、他のサービングセルのＰＤＣＣＨでそのセカンダリセルに関する上りリンクグラントや下りリンクアサインメントを受信した場合にも再起動される。また、ｓＣｅｌｌデアクティベーションタイマが満了した場合、それが設定されているセカンダリセルはデアクティベートされ、次にアクティベートされるまで、上りリンク上での制御信号とデータ送信、および下りリンク上での制御信号とデータ受信は一切行われなくなる。また、稼働中のｓＣｅｌｌデアクティベーションタイマに関連付けされているセカンダリセルに対して、Ａｃｔｉｖａｔｉｏｎ／Ｄｅａｃｔｉｖａｔｉｏｎ  ＭＡＣ  ＣＥによってデアクティベーションが指示された場合や、ＲＲＣによるリリースが行われた場合は、そのｓＣｅｌｌデアクティベーションタイマを停止する。
【００２３】
［ＢＷＰスイッチング］
サービングセル上の物理リソースを複数の周波数帯域に分割し、各周波数帯域を切り替えて使用する技術をＢＷＰ（Ｂａｎｄｗｉｄｔｈ  Ｐａｒｔ）と呼ぶ。サービングセル上に複数のＢＷＰが設定された場合、デフォルトの下りリンクＢＷＰ（デフォルトの下りリンクＢＷＰが設定されない場合は初期下りリンクＢＷＰ）以外の下りリンクＢＷＰがアクティブ状態のときは、ＢＷＰインアクティビティタイマ（ｂａｎｄｗｉｄｔｈＰａｒｔＩｎａｃｔｉｖｉｔｙＴｉｍｅｒ）が設定および起動される。ＢＷＰインアクティビティタイマはそれが設定されているアクティブ下りリンクＢＷＰのＰＤＣＣＨ（Ｐｈｙｓｉｃａｌ  Ｄｏｗｎｌｉｎｋ  Ｃｏｎｔｒｏｌ  ＣＨａｎｎｅｌ；物理下りリンク制御チャネル）で上りリンクグラントや下りリンクアサインメントを受信した場合に再起動されるが、他のサービングセルのＰＤＣＣＨでそのアクティブ下りリンクＢＷＰに関する上りリンクグラントや下りリンクアサインメントを受信した場合には再起動は行われない。また、ＢＷＰインアクティビティタイマが満了した場合、それが設定されている下りリンクＢＷＰからデフォルトの下りリンクＢＷＰ（デフォルトの下りリンクＢＷＰが設定されない場合は初期下りリンクＢＷＰ）にスイッチされ、そのサービングセル上での通信は継続される。なお、ＧＦおよびＵＬ−ＳＰＳは、上りリンクＢＷＰ毎に構成が可能であり、ＤＬ−ＳＰＳも下りリンクＢＷＰ毎に構成が可能である。アクティブ状態の上りリンクＢＷＰにＧＦが構成されていて、その上りリンクＢＷＰがスイッチによってインアクティブに変化した場合はＧＦがサスペンドされ、次に上りリンクＢＷＰがアクティブになったときにサスペンドされたＧＦが再初期化されアクティブになる。
【００２４】
［上りリンクタイミング調整］
上りリンク物理チャネルの送信タイミング（以下、上りリンクタイミングと略す）が同じサービングセルをＴＡＧ（Ｔｉｍｉｎｇ  Ａｄｖａｎｃｅ  Ｇｒｏｕｐ）というグルーピングによって管理することができる。ＴＡＧには１つのＳｐＣｅｌｌを含むＰＴＡＧ（Ｐｒｉｍａｒｙ  ＴＡＧ）と、ＳｐＣｅｌｌを含まないＳＴＡＧ（Ｓｅｃｏｎｄａｒｙ  ＴＡＧ）に分類される。どのサービングセルがどのＴＡＧに属するかは、ＲＲＣの設定による。また、上りリンクタイミングの調整は、基地局装置から送信されるＴＡコマンド（Ｔｉｍｉｎｇ  Ａｄｖａｎｃｅ  Ｃｏｍｍａｎｄ）ＭＡＣ  ＣＥによって行われる。ＴＡコマンドＭＡＣ  ＣＥにはＴＡＧ識別子（ＴＡＧ−ｉｄ）と、上りリンクタイミング調整値を示すインデックスが含まれ、ＴＡＧ識別子で示されるＴＡＧに属するすべてのサービングセルの上りリンクタイミングが、インデックスで示される上りリンクタイミング調整値で調整される。また、上りリンクタイミング調整の状況は上りリンクタイミング調整タイマ（ｔｉｍｅＡｌｉｇｎｍｅｎｔＴｉｍｅｒ）を使って監視する。上りリンクタイミング調整タイマは、ＴＡＧ毎に関連付けされる。ＴＡコマンドＭＡＣ  ＣＥを受信し、そのＴＡＧ識別子に対するＴＡＧの上りタイミング調整が行われた場合、そのＴＡＧに関連付けされる上りリンクタイミング調整タイマに、ＲＲＣ設定関連メッセージに内に含まれる初期値を設定し、起動もしくは再起動を行う。起動もしくは再起動された上りリンクタイミング調整タイマは、停止が行われるか、もしくは前述の初期値で示される時間が経過して満了するまで稼働する。上りリンクタイミング調整タイマが稼働中に、その上りリンクタイミング調整タイマに関連づけられるＴＡＧに対するＴＡコマンドＭＡＣ  ＣＥを受信せず、その後上りリンクタイミング調整タイマが満了した場合、そのＴＡＧに属するすべてのサービングセルが上りリンクの同期外れになったと判断し、そのＴＡＧに属するすべてのサービングセルにおけるすべての上りリンク送信を停止し、上りリンクの再同期確立処理を行う。なお、ＰＴＡＧに関連付けされる上りリンクタイミング調整タイマが期限切れとなった場合は、ＰＴＡＧだけでなく、その他のすべてのＳＴＡＧに関連付けされる上りリンクタイミング調整タイマも期限切れとなったとし、すべてのＴＡＧに属するサービングセルの再同期確立が行われる。
【００２５】
［スケジューリングリクエスト］
移動局装置は、送信すべき上りリンクデータがあり、かつ上りリンクデータ送信に使用するためのＵＬ−ＳＣＨ（Ｕｐｌｉｎｋ  Ｓｈａｒｅｄ  Ｃｈａｎｎｅｌ：上りリンク共有チャネル）リソースの割り当てが無い場合に、スケジューリングリクエスト（Ｓｃｈｅｄｕｌｉｎｇ  Ｒｅｑｕｅｓｔ：以下、ＳＲと略す）を基地局装置に送信し、上りリンク物理通信リソースの割り当てを要求することができる。ＳＲは、ＰＵＣＣＨ（Ｐｈｙｓｉｃａｌ  Ｕｐｌｉｎｋ  Ｃｏｎｔｒｏｌ  ＣＨａｎｎｅｌ：物理上りリンク制御チャネル）上にＳＲ送信用として構成された通信リソースを使用して送信される。送るべきＳＲと、そのＳＲを送信するためのＰＵＣＣＨリソースがあり、ＳＲが送信可能となるタイミングをＳＲ送信機会と呼ぶ。なお、ＳＲ送信用のＰＵＣＣＨリソースと、他の上りリンクデータ送信に割り当てられたＵＬ−ＳＣＨリソース、あるいは下りリンク通信品質測定用に設定されたギャップ（上りリンク送信不可）などが重なった場合、ＳＲの送信は行われず、次のＳＲ送信機会まで延期されることがある。ＳＲの送信が行われた場合、ＳＲ送信禁止タイマを起動する。ＳＲ送信禁止タイマが起動中のときは、ＳＲ送信機会でもＳＲの送信は行われない。基地局装置からＵＬ−ＳＣＨリソースの割り当てを含む上りリンクグラントを受信するまで、ＳＲ送信機会の都度ＳＲが送信される。なお、ＳＲの送信回数に対してＲＲＣによって予め最大送信回数が設定される。これをＳＲ最大送信回数（ｓｒ−ＴｒａｎｓＭａｘ）と呼ぶ。ＳＲの送信がトリガされたときにＳＲ送信回数カウンタ（ＳＲ＿ＣＯＵＮＴＥＲ）が０に設定され、ＳＲが送信される度にＳＲ送信回数カウンタがインクリメントされる。そして、ＳＲ送信回数カウンタの値がＳＲ最大送信回数に達するまでＳＲの送信が行われ、その後も基地局装置からＵＬ−ＳＣＨリソース割り当てを含む上りリンクグラントを受信せず、次のＳＲ送信機会になった場合は、すべてのサービングセルでの上りリンク送信を停止し、ＳｐＣｅｌｌ上で後述するランダムアクセス手順を開始し、上りリンク同期再確立処理を行う。
【００２６】
［ビーム障害リカバリ（ＢＦＲ：Ｂｅａｍ  Ｆａｉｌｕｒｅ  Ｒｅｃｏｖｅｒｙ）］
ＮＲでは、複数のビームを細かく制御して通信効率を向上させるため、ビーム毎の通信障害検出（ＢＦＤ：Ｂｅａｍ  Ｆａｉｌｕｒｅ  Ｄｅｔｅｃｔｉｏｎ）とリカバリ（ＢＦＲ）が以下の手順にて行われる。まず、レイヤ１（物理レイヤ）にて各ビームの通信品質劣化（異常も含む）を検出した場合、レイヤ１からレイヤ２（ＭＡＣレイヤ）に対してＢＦＩ（Ｂｅａｍ  Ｆａｉｌｕｒｅ  Ｉｎｓｔａｎｃｅ  Ｉｎｄｉｃａｔｉｏｎ）が通知される。レイヤ２ではＢＦＩを受信すると、ＢＦＤタイマ（ｂｅａｍＦａｉｌｕｒｅＤｅｔｅｃｔｉｏｎＴｉｍｅｒ）を起動（起動中の場合は再起動）させ、ＢＦＩカウンタ（ＢＦＩ＿ＣＯＵＮＴＥＲ）をインクリメントする。ＢＦＤタイマが満了するまでに、ＢＦＩカウンタの値が予めＲＲＣなど上位レイヤから設定されたＢＦＩ最大通知回数（ｂｅａｍＦａｉｌｕｒｅＩｎｓｔａｎｃｅＭａｘＣｏｕｎｔ）に達した場合、ビーム障害（ＢＦ：Ｂｅａｍ  Ｆａｉｌｕｒｅ）と判断し、ＳｐＣｅｌｌ上で後述するランダムアクセス手順を開始することにより、ＢＦＲを行う。
【００２７】
［ランダムアクセス（ＲＡ）手順］
上りリンクの同期確立は、ランダムアクセス（ＲＡ）手順に従って行われる。ＲＡ手順には、競合ベースＲＡ手順と、非競合ベースＲＡ手順がある。以下、その手順について説明する。
【００２８】
ステップ１：ランダムアクセス（ＲＡ）プリアンブル送信
競合ベースＲＡ手順の場合、予め決められた複数のＲＡプリアンブル系列群から、移動局装置がＲＡプリアンブルを選択して基地局装置に送信する。非競合ベースＲＡ手順の場合は、競合ベースＲＡ手順で使用されないＲＡプリアンブル系列群から他の移動局装置で使用されていないＲＡプリアンブルを基地局装置が一つ選択し、ＰＤＣＣＨなどを通じて予め移動局装置に通知したものを移動局装置が使用して送信する。
【００２９】
ステップ２：ランダムアクセスレスポンス（ＲＡＲ）受信
移動局装置は、ＲＡプリアンブル送信後、基地局装置からのランダムアクセスレスポンス（ＲＡＲ）の受信を待つ。ＲＡＲを受信したら、それに含まれるＲＡプリアンブルのインデックスが、移動局装置が送信したＲＡプリアンブルのインデックスと同じか確認し、同じだった場合は、ＲＡＲに含まれるタイミングアドバンスコマンド  ＭＡＣ  ＣＥに従って上りリンクタイミング調整を適用する。非競合ベースＲＡ手順の場合は、この時点でＲＡ手順が完了し、上りリンク同期が確立する。競合ベースＲＡ手順の場合は、ステップ１で選択したＲＡプリアンブルが他の移動局装置と競合している場合を考慮し、その競合を解決するため、次の手順に進む。
【００３０】
ステップ３：上りリンクデータ送信
移動局装置は、ＲＡＲに含まれる上りリンク送信スケジューリング情報に従って、移動局装置を一意に識別する情報（上位レイヤでの識別子やＣ−ＲＮＴＩなど）、および上位レイヤのメッセージなどを基地局装置に送信する。
【００３１】
ステップ４：競合解決
ステップ３で送信した移動局装置を一意に識別する情報を含むメッセージを受信するか、あるいはＰＤＣＣＨを通じてステップ３で送信したＣ−ＲＮＴＩ宛てのＤＣＩを受信することにより、競合が解決され、競合ベースＲＡ手順が完了し、上りリンク同期が確立する。
【００３２】
なお、ＮＲの仕様策定においては、前述した４つのステップによる競合ベースのＲＡ手順（４ステップＲＡ手順）と同等の機能を実現する２ステップＲＡ手順の検討も行われている。２ステップＲＡ手順の一例としては、移動局装置が４ステップＲＡ手順のステップ１とステップ３を同時に行い、その返答として基地局装置がステップ２とステップ４を同時に行うＲＡＲを移動局装置に送信する、ということが考えられるが、これに限るものではない。なお、本発明におけるＲＡ手順としては、４ステップＲＡ手順または２ステップＲＡ手順のどちらを使用してもよい。
【００３３】
しかしながら、従来の技術では、レイヤ1からレイヤ２へのＢＦＩ通知回数が予めＲＲＣなどの上位レイヤから設定されたＢＦＩ最大通知回数に達し、ＲＡ手順によるＢＦＲが開始された場合、少なくとも通信異常が発生したビームにおいてはＢＦＲが完了するまで正常に通信ができない。しかし、ＧＦやＵＬ−ＳＰＳのような構成済み上りリンクグラントによる上りリンクデータ送信は継続してしまうことになり、上りリンクデータが消失する恐れがある。以下、上記課題に対する解決策を、本発明の実施形態として説明する。
【００３４】
（第１の実施形態）
以下、図面を参照して、本発明の一態様である第１の実施形態について説明する。図１は本実施形態における移動局装置内のＭＡＣエンティティの構成の一例である。図１において、１０１は制御部であり、すべての構成部を制御する。１０２は上位レイヤインタフェース部であり、ＰＤＣＰおよびＲＬＣ、およびＲＲＣなどの上位レイヤとの論理チャネルの設定および管理を行い、その論理チャネルを通じて上りリンクデータおよび下りリンクデータの送受信を行う。１０３は上りリンクＰＤＵ（Ｐｒｏｔｏｃｏｌ  Ｄａｔａ  Ｕｎｉｔ）構成部であり、論理チャネルを通じて受信した上位レイヤからの上りリンク送信データにヘッダ付加や、複数の論理チャネルのデータの結合などを行い、上りリンクＰＤＵを構成する。１０４は送信処理部であり、上りリンクＰＤＵ構成部１０３が作成した上りリンクＰＤＵに誤り訂正符号化処理や変調処理などを行い、上りリンクリソース管理部１０６からの指示に従って、上りリンクデータやＳＲなどの上りリンク制御情報の上りリンク物理リソースへのマッピングを行う。１０５はＢＦＩ受信回数カウンタ部であり、ＢＦＩ受信回数のカウントを行う。１１１はＢＦＤタイマ部であり、ＢＦＩを受信した場合に起動（起動中の場合は再起動）され、予めＲＲＣなど上位レイヤから設定されたＢＦ検出時間（Ｔ＿ｂｆｄとする）の計測を行い、満了時にＢＦＩ受信回数カウンタを０にして停止する。上りリンクリソース管理部１０６は、基地局装置から割り当てられた上りリンク物理リソースの管理を行い、上りリンクＰＤＵと上りリンク物理リソースのマッピングの制御や、ＳＲ送信の制御や管理を行う。受信処理部１０７は、無線インタフェース部１０９からの受信信号に対して復調や誤り訂正符号の復号を行い、下りリンクＰＤＵの再構成を行う。下りリンクＰＤＵ分離部１０８は、受信処理部１０７から受信した下りリンクＰＤＵから一つもしくは複数のデータに分離し、ユーザデータや制御データは上位レイヤインタフェース部１０２を介して上位レイヤに送り、ＣＥ（Ｃｏｎｔｒｏｌ  Ｅｌｅｍｅｎｔ）データは制御部１０１に送る。１１０は下りリンクリソース管理部であり、基地局装置から割り当てられた下りリンク物理リソースの管理を行う。無線インタフェース部１０９は、基地局装置と無線信号の送受信を行う。
【００３５】
次に、図２を用いて、本発明の一態様として、各時間における基地局装置と移動局装置のメッセージおよびデータの送受信の流れと、移動局装置におけるＢＦＩ受信回数およびＧＦの状態の変化について説明する。まず、時間ｔ００において、移動局装置は基地局装置と正常に接続し、ＧＦもアクティブ状態とする。また、ＢＦＩ受信回数は０であるとする。次に時間ｔ０１において、レイヤ１にてビーム異常が検知され、ＢＦＩが通知されると、ＢＦＤタイマを起動し、ＢＦＩ受信回数カウンタがインクリメントされて１になる。その後、時間ｔ０２（ＢＦＤタイマ満了前）において再びビーム異常が検知され、ＢＦＩが通知されると、ＢＦＤタイマを再起動し、ＢＦＩ受信回数カウンタがインクリメントされて２になる。その後もＢＦＤタイマ満了前にＢＦＩの通知が何度も発生し、その都度ＢＦＤタイマの再起動とＢＦＩ受信回数カウンタのインクリメントが行われ、時間ｔ１０において、ＢＦＩ受信回数がＮｂｆｉＭａｘに達したものとする。ＮｂｆｉＭａｘは、ＲＲＣメッセージなどによって予め設定されたＢＦＩ最大受信回数（ｂｅａｍＦａｉｌｕｒｅＩｎｓｔａｎｃｅＭａｘＣｏｕｎｔ）であるとするが、これに限るものではなく、別のパラメータで設定でもよいし、暗黙的に設定されてもよい。ＢＦＩ受信回数がＮｂｆｉＭａｘに達すると、サービングセルに設定されているＧＦの送信を停止し、サスペンドする。その後、時間ｔ１１にてＢＦＲが開始され、ＳｐＣｅｌｌ上でＲＡ手順が行われる。そして、時間ｔ２０にてＲＡ手順が完了し、ＢＦＲが完了すると、ＢＦＩ受信回数カウンタを０にし、時間ｔ１１にてサスペンドされたすべてのＧＦの再初期化を行いアクティブ状態として送信が再開される。なお、時間ｔ２０におけるＲＡ手順の完了とは、前述のとおり４ステップ競合ベースＲＡ手順の場合はステップ４の競合解決の完了時であり、非競合ベースＲＡ手順の場合はステップ２のＲＡＲ受信時である。２ステップ競合ベースＲＡ手順の場合は、競合解決が完了した時点である。
【００３６】
なお、ＢＦＩ受信回数がＮｂｆｉＭａｘに達した場合のＧＦのサスペンドや、ＢＦＲ完了後に行われるサスペンドされたＧＦの再初期化は、すべてのサービングセルに構成されているＧＦに対して行われてもよいし、ＢＦＩ受信回数がＮｂｆｉＭａｘに達したＢＦＩに関連するサービングセルに構成されているＧＦのみに行われてもよいし、そのＢＦＩに関連するサービングセルが含まれるＴＡＧのすべてのサービングセルに設定されているＧＦでもよい。また、全部または一部のサービングセルに複数の上りリンクＢＷＰが設定されている場合、ＢＦＩ受信回数がＮｂｆｉＭａｘに達したことに起因するＧＦのサスペンドは、すべてのサービングセルのアクティブ上りリンクＢＷＰ上に構成されているＧＦに対して行ってもよいし、ＢＦＩ受信回数がＮｂｆｉＭａｘに達したサービングセルのアクティブ上りリンクＢＷＰ上に構成されているＧＦに対してのみに行ってもよい。また、ＢＦＲ完了後のサスペンドされたＧＦの再初期化は、ＢＦＲ完了時にアクティブとなっている上りリンクＢＷＰ上に構成されサスペンドされているＧＦに対して行うようにしてもよい。さらに、複数のＴＡＧが構成されている場合、ＢＦＩ受信回数がＮｂｆｉＭａｘに達したＴＡＧに属するサービングセルに構成されているＧＦをサスペンドし、ＢＦＲ完了後にそのＴＡＧに属するサービングセルで構成およびサスペンドされているＧＦの再初期化を行ってもよい。
【００３７】
以上説明したとおり、本発明の一態様を適用することによって、ＢＦＩ最大受信回数到達によるＢＦＲが発生した場合でも、ＧＦを適切に制御することによって、正常に通信を行うことが可能となる。
【００３８】
（第２の実施形態）
ＵＬ−ＳＰＳに本発明を適用した場合の一態様を第２の実施形態として説明する。なお、本実施形態における移動局装置内のＭＡＣエンティティの構成の一例は第１の実施形態の図１と同じであるため、説明を省略する。
【００３９】
図３を用いて、本発明の一態様として、各時間における基地局装置と移動局装置のメッセージおよびデータの送受信の流れと、移動局装置におけるＢＦＩ受信回数およびＵＬ−ＳＰＳの状態の変化について説明する。まず、時間ｔ００において、移動局装置は基地局装置と正常に接続し、ＵＬ−ＳＰＳもアクティブ状態とする。また、ＢＦＩ受信回数は０であるとする。次に時間ｔ０１において、レイヤ１にてビーム異常が検知され、ＢＦＩが通知されると、ＢＦＤタイマを起動し、ＢＦＩ受信回数カウンタがインクリメントされて１になる。その後、時間ｔ０２（ＢＦＤタイマ満了前）において再びビーム異常が知され、ＢＦＩが通知されると、ＢＦＤタイマを再起動し、ＢＦＩ受信回数カウンタがインクリメントされて２になる。その後もＢＦＤタイマ満了前にＢＦＩの通知が何度も発生し、その都度ＢＦＤタイマの再起動とＢＦＩ受信回数カウンタのインクリメントが行われ、時間ｔ１０において、ＢＦＩ受信回数がＮｂｆｉＭａｘに達したものとする。ＮｂｆｉＭａｘは、ＲＲＣメッセージなどによって予め設定されたＢＦＩ最大受信回数（ｂｅａｍＦａｉｌｕｒｅＩｎｓｔａｎｃｅＭａｘＣｏｕｎｔ）であるとするが、これに限るものではなく、別のパラメータで設定でもよいし、暗黙的に設定されてもよい。ＢＦＩ受信回数がＮｂｆｉＭａｘに達すると、サービングセルに設定されているＵＬ−ＳＰＳの送信を停止し、クリアする。その後、時間ｔ１１にてＢＦＲが開始され、ＳｐＣｅｌｌ上でＲＡ手順が行われる。そして、時間ｔ２０にてＲＡ手順が完了し、ＢＦＲが完了すると、ＢＦＩ受信回数カウンタを０にし、時間ｔ１１にてクリアされたすべてのＵＬ−ＳＰＳに対してＤＣＩ（レイヤ１シグナリング）によるアクティベーションが再び行われ送信が再開される。なお、時間ｔ２０におけるＲＡ手順の完了とは、前述のとおり４ステップ競合ベースＲＡ手順の場合はステップ４の競合解決の完了時であり、非競合ベースＲＡ手順の場合はステップ２のＲＡＲ受信時である。２ステップ競合ベースＲＡ手順の場合についても、競合解決が完了した時点である。
【００４０】
なお、ＢＦＩ受信回数がＮｂｆｉＭａｘに達した場合のＵＬ−ＳＰＳのクリアや、ＢＦＲ完了後に行われるＵＬ−ＳＰＳのＤＣＩによるアクティベーションは、すべてのサービングセルに構成されているＵＬ−ＳＰＳに対して行われてもよいし、ＢＦＩ受信回数がＮｂｆｉＭａｘに達したＢＦＩに関連するサービングセルに構成されているＵＬ−ＳＰＳのみに行われてもよいし、そのＢＦＩに関連するサービングセルが含まれるＴＡＧのすべてのサービングセルに設定されているＵＬ−ＳＰＳでもよい。また、全部または一部のサービングセルに複数の上りリンクＢＷＰが設定されている場合、ＢＦＩ受信回数がＮｂｆｉＭａｘに達したことに起因するＵＬ−ＳＰＳのクリアは、すべてのサービングセルのアクティブ上りリンクＢＷＰ上に構成されているＵＬ−ＳＰＳに対して行ってもよいし、ＢＦＩ受信回数がＮｂｆｉＭａｘに達したサービングセルのアクティブ上りリンクＢＷＰ上に構成されているＵＬ−ＳＰＳに対してのみに行ってもよい。また、ＢＦＲ完了後のＵＬ−ＳＰＳのＤＣＩによるアクティベーションは、ＢＦＲ完了時にアクティブとなっている上りリンクＢＷＰ上のＵＬ−ＳＰＳに対して行うようにしてもよい。さらに、複数のＴＡＧが構成されている場合、ＢＦＩ受信回数がＮｂｆｉＭａｘに達したＴＡＧに属するサービングセルに構成されているＵＬ−ＳＰＳをクリアし、ＢＦＲ完了後にそのＴＡＧに属するサービングセルのＵＬ−ＳＰＳのＤＣＩによるアクティベーションを行ってもよい。
【００４１】
以上説明したとおり、本発明の一態様を適用することによって、ＢＦＩ最大受信回数到達によるＢＦＲが発生した場合でも、ＵＬ−ＳＰＳを適切に制御することによって、正常に通信を行うことが可能となる。
【００４２】
なお、本発明を適用する通信システム、基地局装置、移動局装置、通信方法は３ＧＰＰの第５世代通信規格（ＮＲ）に限定されず、他の通信システムで使用される通信規格に適用してもよい。
【００４３】
なお、以上で説明した移動局装置、基地局装置の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４４】
また、「コンピュータシステム」は、ＷＷＷシステムを利用している場合であれば、ホームページ提供環境（あるいは表示環境）も含むものとする。
【００４５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４６】
また、移動局装置、基地局装置の全部または一部の機能を集積回路に集約して実現してもよい。各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００４７】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００４８】
本発明は、有線および無線での通信システムや通信装置に用いて好適である。
【符号の説明】
【００４９】
１０１…制御部
１０２…上位レイヤインタフェース部
１０３…上りリンクＰＤＵ構成部
１０４…送信処理部
１０５…ＢＦＩ受信回数カウンタ部
１０６…上りリンクリソース管理部
１０７…受信処理部
１０８…下りリンクＰＤＵ分離部
１０９…無線インタフェース部
１１０…下りリンクリソース管理部
１１１…ＢＦＤタイマ部
【図１】
2020057959.tif 000003
【図２】
2020057959.tif 000004
【図３】
2020057959.tif 000005